(57)【要約】【課題】喫煙者が吐き出した煙が拡散しにくい喫煙者用の空気清浄機を提供する。【解決手段】喫煙者用の空気清浄機１０は、喫煙者が吐き出す煙の入口１１が側面に形成され、入口１１から流入する煙を受け入れる入口側空間１３が内部に形成された集煙フード１２と、内部に形成された空気通路１７が入口側空間１３の出口１５に繋がるように集煙フード１２に取り付けられ、空気通路１７を通過した空気を排出する排出口１９が形成された筐体１６と、空気通路１７を通過する煙を浄化するフィルタ１８と、入口側空間１３の煙を排出口１９側へ吸引する吸引装置２０とを備え、集煙フード１２を入口１１の正面から見た場合に、集煙フード１２の外周よりも入口１１が小さく、入口側空間１３は、入口１１から内側に近づくに従って広がる形状に形成されている。【選択図】図１
2017207213.tif 000002
【特許請求の範囲】
【請求項１】
喫煙者用の空気清浄機であって、
喫煙者が吐き出す煙の入口が側面に形成され、前記入口から流入する煙を受け入れる入口側空間が内部に形成された集煙フードと、
内部に形成された空気通路が前記入口側空間の出口に繋がるように前記集煙フードに取り付けられ、前記空気通路を通過した空気を排出する排出口が形成された筐体と、
前記空気通路を通過する煙を浄化するフィルタと、
前記入口側空間の煙を前記排出口側へ吸引する吸引装置とを備え、
前記集煙フードを前記入口の正面から見た場合に、前記集煙フードの外周よりも前記入口が小さく、
前記入口側空間は、前記入口から内側に近づくに従って広がる形状に形成されていることを特徴とする、喫煙者用の空気清浄機。
【請求項２】
前記筐体は筒状に形成され、
前記入口側空間の出口は、前記集煙フードの下面に形成され、
前記筐体の一端側が、前記集煙フードの下側に取り付けられ、
前記集煙フードは、前記筐体の取付箇所から膨らむ略ボール状に形成されていることを特徴とする、請求項１に記載の喫煙者用の空気清浄機。
【請求項３】
前記入口側空間の出口は、前記集煙フードの下面に形成され、
前記出口に挿通されて、一端が前記入口側空間の上部に開口し他端が前記空気通路における前記フィルタの上流に開口するチューブをさらに備えていることを特徴とする、請求項１又は２に記載の喫煙者用の空気清浄機。
【発明の詳細な説明】
【技術分野】
【０００１】
本発明は、喫煙者が吐き出した煙を浄化する喫煙者用の空気清浄機に関する。
【背景技術】
【０００２】
従来から、喫煙者用の空気清浄機が知られている。特許文献１には、この種の空気清浄機として、たばこの煙捕集清浄機が記載されている。この煙捕集清浄機は、本体の前面に形成した椀状部の中央部分に吸気口を設け、本体の上面側に吐出口を設けている。吸気口には椀状部を覆う形状で中央部分が開口する補集フードが着脱自在に設けられ、補集フードの中央開口部に洗浄可能なフィルタが着脱自在に設けられている。
【先行技術文献】
【特許文献】
【０００３】
【特許文献１】特開平８−３３２３３３号公報
【発明の概要】
【発明が解決しようとする課題】
【０００４】
ところで、従来の喫煙者用の空気清浄機（上述のたばこの煙捕集清浄機）は、集煙フードが外側へ向かって広がっているため、喫煙者が吐き出した煙の一部が、空気清浄機に吸い込まれることなく、拡散する虞があった。また、煙が拡散しないように空気の吸引力を高める場合は、消費電力が大きくなり、ファンによる騒音が大きくなる。
【０００５】
本発明は、このような事情に鑑みてなされたものであり、喫煙者が吐き出した煙が拡散しにくい喫煙者用の空気清浄機を提供することを目的とする。
【課題を解決するための手段】
【０００６】
上述の課題を解決するべく、第１の発明は、喫煙者用の空気清浄機であって、喫煙者が吐き出す煙の入口が側面に形成され、入口から流入する煙を受け入れる入口側空間が内部に形成された集煙フードと、内部に形成された空気通路が入口側空間の出口に繋がるように集煙フードに取り付けられ、空気通路を通過した空気を排出する排出口が形成された筐体と、空気通路を通過する煙を浄化するフィルタと、入口側空間の煙を排出口側へ吸引する吸引装置とを備え、集煙フードを入口の正面から見た場合に、集煙フードの外周よりも入口が小さく、入口側空間は、入口から内側に近づくに従って広がる形状に形成されている。
【０００７】
第２の発明は、第１の発明において、筐体は筒状に形成され、入口側空間の出口は、集煙フードの下面に形成され、筐体の一端側が、集煙フードの下側に取り付けられ、集煙フードは、筐体の取付箇所から膨らむ略ボール状に形成されている。
【０００８】
第３の発明は、第１又は第２の発明において、入口側空間の出口は、集煙フードの下面に形成され、出口に挿通されて、一端が入口側空間の上部に開口し他端が空気通路におけるフィルタの上流に開口するチューブをさらに備えている。
【発明の効果】
【０００９】
第１の発明では、集煙フード側面の入口へ向かって喫煙者が吐き出した煙が、入口側空間に流入し、吸引装置によって吸引されて、入口側空間の出口に繋がる空気通路（筐体の内部）に流入する。そして、空気通路に流入した煙は、フィルタによって浄化され、排出口から排出される。第１の発明では、集煙フードを入口の正面から見た場合に、集煙フードの外周よりも入口が小さく、また集煙フード内部の入口側空間は、入口から内側に近づくに従って広がっている。すなわち、入口側空間は、入口に近づくに従って狭まっている。そのため、入口側空間に流入した煙は、入口からは流出しにくく、その多くが空気通路を通過して浄化される。従って、喫煙者が吐き出した煙が拡散しにくい喫煙者用の空気清浄機を提供することができる。
【００１０】
第２の発明では、略ボール状の集煙フードが筐体の取付箇所から膨らんでいる。筐体は、集煙フードに比べて小さく把持しやすくなっている。従って、集煙フードの大きさを確保しつつ、持ち運びしやすい喫煙者用の空気清浄機を提供することができる。
【００１１】
第３の発明では、集煙フードの下面に入口側空間の出口が形成され、入口側空間の煙がその出口から空気通路に流入する。さらに、チューブが設けられ、チューブの一端が入口側空間の上部に開口し、チューブの他端が空気通路におけるフィルタの上流に開口している。そのため、出口から離れた煙は、チューブを通じてフィルタへ導かれる。第３の発明によれば、入口側空間における出口から離れた領域で、煙が滞留することを抑制できる。
【図面の簡単な説明】
【００１２】
【図１】実施の形態に係る喫煙者用の空気清浄機の概略斜視図
【図２】喫煙者用の空気清浄機の筐体部分の概略断面図
【発明を実施するための形態】
【００１３】
以下、図１−図２を参照しながら、本発明の一例である実施の形態について詳細に説明する。なお、本発明は、実施の形態に限定されない。
【００１４】
［１．喫煙者用の空気清浄機の構成について］
喫煙者用（愛煙家用）の空気清浄機１０は、喫煙者が吐き出す煙を浄化する空気清浄機である。空気清浄機１０は、喫煙者が持ち運び可能（携帯可能）に構成されている。空気清浄機１０は、図１及び図２に示すように、喫煙者が吐き出す煙の入口１１が側面に形成された集煙フード１２と、集煙フード１２の下側に取り付けられた筐体１６とを備えている。
【００１５】
集煙フード１２は、筐体１６の取付箇所から膨らむ略ボール状に形成されている。集煙フード１２の内部には、入口１１から流入する煙を受け入れる入口側空間１３が形成されている。入口１１は、横長の略楕円状で、喫煙者にとって煙を吹き入れやすい大きさ（例えば、縦及び横１０ｃｍ以上）に形成されている。また、集煙フード１２の下面には、入口側空間１３の出口１５が形成されている。
【００１６】
集煙フード１２を入口１１の正面から見た場合に、集煙フード１２の外周よりも入口１１が一回り以上小さい。集煙フード１２の外壁は薄く、入口側空間１３は、集煙フード１２の外形に沿った略ボール状の空間になっている。入口側空間１３は、入口１１から内側に近づくに従って広がる形状に形成されている。
【００１７】
集煙フード１２の形状は、丸みを帯びたボール状が好適であり、本実施の形態では略球体状であるが、略楕円体状でもよい。なお、集煙フード１２は、ボール状以外の形状（例えば、略直方体状）であってもよい。また、入口１１は、略楕円状以外の形状（例えば、長円状、矩形状）であってもよい。
【００１８】
筐体１６は、略円筒状に形成されている。筐体１６の内部には、軸方向に沿って空気通路１７が形成されている。筐体１６は、空気通路１７が入口側空間１３の出口１５に繋がるように、一端側が集煙フード１２の下側に取り付けられている。入口側空間１３の出口１５は、筐体１６によって塞がれている。筐体１６には、空気通路１７を通過した空気を排出する排出口１９が側面に形成されている。
【００１９】
筐体１６は、図２に示すように、空気通路１７を通過する煙を浄化するフィルタ１８と、入口側空間１３の煙を排出口１９側へ吸引する吸引装置２０とを収容している。フィルタ１８は、交換や洗浄を行うことができるように、筐体１６に対し着脱自在に設けられている。筐体１６には、フィルタ１８の取換え口が形成されている。また、吸引装置２０は、モータ２０ａと、モータ２０ａの回転軸に連結されたブレード２０ｂとを備え、ブレード２０ｂを回転させて空気を吸引する。
【００２０】
集煙フード１２及び筐体１６には、出口１５に挿通されたチューブ２５（吸煙管）が設けられている。チューブ２５は、入口２６が２つ設けられ、出口２７が１つ設けられている。チューブ２５の一方の入口２６は入口側空間１３の上部に開口し、他方の入口２６は入口側空間１３の中央部に開口している。チューブ２５の出口２７は、空気通路１７におけるフィルタ１８の上流に開口している。なお、チューブ２５の出口２７は、吸引力が作用しやすいように広がっていてもよい。また、１つのチューブ２５に入口２６を２つ設けずに、入口２６が１つのチューブ２５を１本又は２本以上設けてもよい。
【００２１】
筐体１６は、吸引装置２０の電源として、充電式のバッテリー２１を収容している。筐体１６には、吸引装置２０又はバッテリー２１に電力を供給する電源コード２２が取り付けられている。また、筐体１６の下端部は、空気清浄機１０を載置した際に倒れにくくするために、金属製の重し２３により構成されている。また、筐体１６の側面には、吸い殻入れ２４が着脱自在に取り付けられている。
【００２２】
［２．煙捕集清浄機の機能等について］
空気清浄機１０は、電源（図示省略）を入れると吸引装置２０が起動する。これにより、入口側空間１３の空気は空気通路１７に吸い込まれ、排出口１９から排出される。喫煙者が入口１１から入口側空間１３に煙を吹き入れると、入口側空間１３に流入した煙は、出口１５、又は、チューブ２５の各入口２６から、吸引装置２０によって吸引されて、空気通路１７に流入し、フィルタ１８を通過して浄化された後に、排出口１９から排出される。
【００２３】
本実施の形態では、集煙フード１２内部の入口側空間１３が、入口１１に近づくに従って狭まっている。そのため、入口側空間１３に流入した煙は、入口１１からは流出しにくく、その多くが空気通路１７を通過して浄化される。従って、喫煙者が吐き出した煙が拡散しにくい喫煙者用の空気清浄機１０を提供することができる。周囲に迷惑を掛けることなく家庭などで喫煙したい愛煙家にとって、有用な空気清浄機１０である。
【００２４】
本実施の形態では、筐体１６が、集煙フード１２に比べて小さく把持しやすくなっている。空気清浄機１０を下方から見た場合に、筐体１６は集煙フード１２よりも一回り以上小さい。従って、集煙フード１２の大きさを確保しつつ、持ち運びしやすい喫煙者用の空気清浄機１０を提供することができる。また、空気清浄機１０は、コンセントの受け口に電源コード２２を差し込んで使用した場合、電源コード２２を介して電力が吸引装置２０に供給される。電源コード２２を差し込まずに使用した場合、バッテリー２１に蓄えられた電力が吸引装置２０に供給される。空気清浄機１０は、コンセントの受け口がない場所へ持ち運んで使用することが可能である。
【００２５】
また、本実施の形態では、チューブ２５の入口２６が入口側空間１３の上部及び中央部に開口している。そのため、入口側空間１３における出口１５から離れた領域で、煙が滞留することを抑制できる。
【産業上の利用可能性】
【００２６】
本発明は、喫煙者用の空気清浄機等に適用可能である。
【符号の説明】
【００２７】
１０    喫煙者用の空気清浄機
１１    入口
１２    集煙フード
１３    入口側空間
１６    筐体
１７    空気通路
１８    フィルタ
１９    排出口
２０    吸引装置
【図１】
2017207213.tif 000003
【図２】
2017207213.tif 000004